(57)【特許請求の範囲】
【請求項１】
バーナの火力を所望の火力に調整するための手動操作手段を有し、この手動操作手段を手動操作することにより強火力と弱火力との間の火力調整範囲内で、前記バーナの火力を調整する火力調整手段と、
この火力調整手段による前記バーナの火力調整範囲を、強火力を含む大火力範囲と弱火力を含む通常火力範囲とに区画する区画部と
を備えたガス機器であって、
前記区画部は、強火力と弱火力との中間の中火力よりも強火力側に設けられ、大火力範囲から通常火力範囲への前記手動操作手段の移動を規制する第１の規制部、および通常火力範囲から大火力範囲への前記手動操作手段の移動を規制する第２の規制部を有し、
前記第１の規制部の規制を解除して通常火力範囲への移動を可能にし、前記第２の規制部の規制を解除して大火力範囲への移動を可能にする規制解除手段と、
前記バーナの点火および消火を行い、点火操作する前に前記手動操作手段が前記区画部より強火力側にある場合、点火操作時に前記手動操作手段を連動させて前記第１の規制部に規制されるまで移動させ、点火操作する前に前記手動操作手段が前記区画部よりも弱火力側にある場合、点火操作時に前記手動操作手段を連動させて前記第２の規制部に規制されるまで移動させることにより前記バーナを前記区画部の火力で点火する点火消火手段とを具備したことを特徴とするガス機器。
【請求項２】
請求項１に記載のガス機器において、
前記火力調整手段は、前記バーナの火力を強火力に設定する強火力位置、前記バーナの火力を中火力に設定する中火力位置、および前記バーナの火力を弱火力に設定する弱火力位置を備える段差付操作窓を有し、
前記手動操作手段は、前記段差付操作窓に嵌合した状態で前記段差付操作窓の延長方向に往復移動可能に設けられ、
前記区画部の前記第１の規制部および前記第２の規制部を段差による制止壁とすることを特徴とするガス機器。
【請求項３】
請求項２に記載のガス機器において、
前記段差付操作窓の延長方向に対して直交する方向に操作することにより、前記第１の規制部または前記第２の規制部より解放させる規制解除手段を設けていることを特徴とするガス機器。
【発明の詳細な説明】
【０００１】
【発明の属する技術分野】
この発明は、ガス機器用火力調整装置の火力調整レバーを手動操作することによりガスバーナの火力を所望の火力に調整するガス機器に関するもので、特にガスバーナの火力調整範囲を大火力範囲と通常火力範囲とに区画する区画点を備えたガス機器に係わる。
【０００２】
【従来の技術】
従来より、例えばテーブルコンロの前面に設置された操作パネルには、コンロバーナの点火および消火を行う点火消火装置のプッシュ式点火消火ボタンと、コンロバーナの火力を調整させる火力調整装置のスライド式火力調整レバーとが設けられている。一方、コンロバーナにおいて、例えば中華料理も家庭で美味しく料理できるようにする要請から高カロリー化（大火力化）になり、反対にシチュー等の煮込み料理についてはトロ火化、低カロリー化（小火力化）となってきている。なお、火力調整装置の火力調整は、火力調整レバーを水平方向の任意の位置に手動操作することにより、コンロバーナの火力を弱火力と強火力との火力範囲内で連続的に調整ができるようになっている。
【０００３】
以上のように、火力範囲が広くなると、高カロリー（強火力、例えば４６００ｋｃａｌ／ｈ）と低カロリー（弱火力、例えば４００ｋｃａｌ／ｈ）との広い火力範囲内で、コンロバーナの火力調整を行うに際して、火力調整レバーの手動操作により前記広い火力範囲を高速で一気に絞り方向に動かすことにより失火してしまうという不具合があった。
【０００４】
そこで、その不具合を解消する目的で、図９に示したように、火力調整レバー１０１の強火力位置と弱火力位置との間で中火力位置よりも弱火力側の中間ポイント（例えば１３００ｋｃａｌ／ｈ）で火力調整レバー１０１を持ち上げるようにした段差付操作窓１０２を設けている。
【０００５】
これにより、強火力位置より弱火力位置までの広い火力範囲を高速で一気に絞り方向に火力調整レバー１０１を動かそうとしても、段差付操作窓１０２内に設けた制止壁１０３で一旦動きが規制され、その後に火力調整レバー１０１を持ち上げてから再度絞り方向に火力調整レバー１０１を動かすことになるので、高速で一気に絞られる火力範囲を狭くすることで、上記の失火を防止するようにしている。
【０００６】
【発明が解決しようとする課題】
ところが、上記のテーブルコンロにおいては、一般に家庭で使用されている調理鍋の外径は２０ｃｍ以下が多く、使用火力も３２００ｋｃａｌ／ｈ以下が多い。特に、一般の家庭における調理には、火力調整レバー１０１を中火力位置（例えば２３００ｋｃａｌ／ｈ）と弱火力（例えば４００ｋｃａｌ／ｈ）位置との間で使用することが多い。しかし、図９に示したように、中火力位置よりも弱火力位置側に制止壁１０３が設けられているので、火力調整レバー１０１を操作してコンロバーナの火力を微妙に調整する際に前記のように、火力調整レバー１０１の持ち上げが必要であり、使い勝手が悪いという問題が生じている。
【０００７】
また、火力調整レバー１０１の操作ミス等によって、通常使用範囲（３２００ｋｃａｌ／ｈ以下）から、強火力側へ容易に切り替わり、大きな炎が意に反して立ち上がることは防災上好ましくない。一方、テーブルコンロにおいては、放電火花等の点火源で燃料ガスと燃焼用空気との混合気に着火させている。この着火を円滑、確実に行うためには、コンロバーナの火力は点火操作時に中火力以上の大きな火力に設定してあることが望ましい。しかし、着火時の火力があまりに強火力であると使用者が不意をつかれることが考えられ、好ましくない。
【０００８】
このため、近年、火力調整レバーを点火消火ボタンに連動させて強火力と弱火力との火力調整範囲の強火力側の７０％程度の位置（中火力よりも強火力側）に移動させて点火することが行われている。ところが、従来のテーブルコンロには、点火操作時の火力調整レバーの位置にばらつきが生じ、特に強火力側にズレた場合には、上記のように使用者が不意をつかれるという不具合が残る。
【０００９】
【発明の目的】
この発明の目的は、弱火力付近から制止壁等の規制部を廃止して中火力と弱火力との間で火力調整する際の使い勝手を改善することができると共に、不用意に強火力に切り替わらないガス機器を提供することにある。また、点火操作時に手動操作手段を最適な位置に設定できるようにして点火性能の向上および適切な着火炎を形成することのできるガス機器を提供することにある。
【００１０】
【課題を解決するための手段】
請求項１に記載の発明は、バーナの火力を所望の火力に調整するための手動操作手段を有し、この手動操作手段を手動操作することにより強火力と弱火力との間の火力調整範囲内で、前記バーナの火力を調整する火力調整手段と、この火力調整手段による前記バーナの火力調整範囲を、強火力を含む大火力範囲と弱火力を含む通常火力範囲とに区画する区画部とを備えたガス機器であって、
前記区画部は、強火力と弱火力との中間の中火力よりも強火力側に設けられ、大火力範囲から通常火力範囲への前記手動操作手段の移動を規制する第１の規制部、および通常火力範囲から大火力範囲への前記手動操作手段の移動を規制する第２の規制部を有し、前記第１の規制部の規制を解除して通常火力範囲への移動を可能にし、前記第２の規制部の規制を解除して大火力範囲への移動を可能にする規制解除手段と、前記バーナの点火および消火を行い、点火操作する前に前記手動操作手段が前記区画部より強火力側にある場合、点火操作時に前記手動操作手段を連動させて前記第１の規制部に規制されるまで移動させ、点火操作する前に前記手動操作手段が前記区画部よりも弱火力側にある場合、点火操作時に前記手動操作手段を連動させて前記第２の規制部に規制されるまで移動させることにより前記バーナを前記区画部の火力で点火する点火消火手段とを具備したことを特徴とする。
【００１１】
請求項２に記載の発明は、請求項１に記載のガス機器に加えて、前記火力調整手段に、前記バーナの火力を強火力に設定する強火力位置、前記バーナの火力を中火力に設定する中火力位置、および前記バーナの火力を弱火力に設定する弱火力位置を備える段差付操作窓を設け、前記手動操作手段が、前記段差付操作窓に嵌合した状態で前記段差付操作窓の延長方向に往復移動可能に設けられ、前記区画部の前記第１の規制部および前記第２の規制部を段差による制止壁とすることを特徴とする。
【００１２】
請求項３に記載の発明は、前記段差付操作窓の延長方向に対して直交する方向に操作することにより、前記第１の規制部または前記第２の規制部より解放させる規制解除手段を設けていることを特徴とする。
【００１４】
【発明の作用および効果】
請求項１に記載の発明によれば、手動操作手段を大火力範囲から通常火力範囲へ操作する際に第１の規制部で手動操作手段が一時的に制止されるので、急速な弱火力方向への操作は第１の規制部から弱火力位置までの範囲に縮小されてバーナの失火を防止することができる。また、手動操作手段を通常火力範囲から大火力範囲へ操作する際に第２の規制部で手動操作手段が一時的に制止されるので、不用意な操作によってバーナに強火力の炎が急激に生起することを防止できる。また、火力調整手段によるバーナの火力調整範囲を、強火力を含む大火力範囲と弱火力を含む通常火力範囲とに区画する区画部を中火力よりも強火力側に設けることにより、中火力と弱火力との間で火力調整を行う際、火力調整手段をスムーズに動かすことができて使い勝手を改善することができる。
また、点火操作する前に手動操作手段が区画部より強火力側にある場合、第１の規制部の規制によりバーナを区画部の火力で点火し、点火操作する前に手動操作手段が区画部より弱火力側にある場合、第２の規制部の規制によりバーナを区画部の火力で点火する構成を採用している。このため、点火操作前の手動操作手段が区画部より強火力側あるいは弱火力側のどこの位置にあっても、手動操作手段は、点火操作時に点火消火手段に連動して第１の規制部あるいは第２の規制部に当たって区画部の位置に規制される。これにより、バーナの火力が中火力よりも強火力側である、点火に最適な位置になるように手動操作手段を確実に移動させることができ、点火時に手動操作手段の位置がばらつかず、確実な着火と適切な炎を形成することが可能となる。
【００１５】
請求項２に記載の発明によれば、手動操作手段を段差付操作窓内の強火力位置に操作することによりバーナの火力が強火力に設定される。また、手動操作手段を段差付操作窓内の中火力位置に操作することによりバーナの火力が中火力に設定される。そして、手動操作手段を段差付操作窓内の弱火力位置に操作することによりバーナの火力が弱火力に設定される。このため、バーナの現在の火力が手動操作手段の操作位置に応じたものとなり、バーナの火力を見なくても手動操作手段の操作位置でバーナの現在の火力を認識できる。そして、段差付操作窓に設けた制止壁によって手動操作手段の移動を制止させることができる。
【００１６】
請求項３に記載の発明によれば、規制解除手段として段差付操作窓の延長方向に対して直交する方向に手動操作手段を操作することにより、手動操作手段が第１の規制部より解放されるので、大火力範囲から通常火力範囲へ手動操作手段を簡単に動かすことができる。また、段差付操作窓の延長方向に対して直交する方向に手動操作手段を操作することにより、手動操作手段が第２の規制部より解放されるので、通常火力範囲から大火力範囲へ手動操作手段を簡単に動かすことができる。
【００１８】
【発明の実施の形態】
〔第１実施例の構成〕
図１ないし図６はこの発明のガス機器をテーブルコンロに組み込んだ第１実施例を示したもので、図１はテーブルコンロ用ガス制御装置を示した図で、図２はテーブルコンロを示した図である。
【００１９】
テーブルコンロ１は、ハウジング２、このハウジング２の中央に収容されたグリルバーナを含むグリルＧ、ハウジング２内においてグリルＧの両側に配された２個のコンロバーナ３、およびこれらのコンロバーナ３の各々への燃料ガスの供給量等を制御するガス制御装置Ｓ等から構成されている。
【００２０】
ハウジング２は、前面に操作パネル１１が取り付けられ、上側にトッププレート１２が取り付けられている。操作パネル１１には、火力調整機構５のスライド式火力調整摘み８が貫通する水平方向穴１３が形成され、この水平方向穴１３の下方にはプッシュ・プッシュ式点火消火ボタン１４が設置されている。
【００２１】
２個のコンロバーナ３は、バーナ部１７、およびこのバーナ部１７と一体成形されたベンチュリ管１８等を有している。
バーナ部１７には、バーナヘッド１９が載置され、このバーナヘッド１９との間に多数の炎孔１６を形成し、ベンチュリ管１８で混合された燃料ガスと燃焼用空気との混合気を炎孔１６で燃焼させて五徳３ａ上に載置される調理鍋等を加熱する。
【００２２】
ベンチュリ管１８は、燃料ガスと燃焼用空気とを混合し、この混合気をバーナ部１７に供給する混合管である。このベンチュリ管１８の上流端部の開口部１８ａには、燃料ガスをベンチュリ管１８の内部に噴射するノズルＮが臨んでいる。なお、このノズルＮとガス制御装置Ｓの火力調整機構５とは連結されている。
【００２３】
次に、ガス制御装置Ｓを図１および図３に基づいて説明する。ここで、図３はガス制御装置Ｓの点火消火機構４を示した図である。
ガス制御装置Ｓは、コンロバーナ３の点火および消火を行うための点火消火機構４、およびコンロバーナ３の火力を調整する火力調整機構５等から構成されている。
【００２４】
先ず、ガス制御装置Ｓの点火消火機構４を図１および図３に基づいて詳細に説明する。
点火消火機構４は、本発明の点火消火手段であって、使用者による点火消火ボタン１４の押圧操作に応じてコンロバーナ３への燃料ガスの供給開始および停止を制御することによりコンロバーナ３の点火および消火を行う。この点火消火機構４の本体（バルブボディ）７１の燃料ガス通路７１ａ内には、コンロバーナ３への燃料ガスの供給および遮断を行う主弁７２や安全弁７３等の弁装置が内蔵されている。燃料ガス通路７１ａ内には、後記する作動子２２に連動する作動棒７４が往復移動自在に挿入されている。
【００２５】
主弁７２は、作動棒７４の略中央部の外周に嵌め合わされ、スプリング７５によって前方向に付勢されて燃料ガス通路７１ａを閉じている。そして、主弁７２は、作動棒７４が後方向に移動することにより燃料ガス通路７１ａを開く。安全弁７３は、スプリング７６によって前方向に付勢されて燃料ガス通路７１ａを閉じている。そして、安全弁７３は、作動棒７４の後端が当接して後方向に移動するか、あるいは電磁石７７の磁力によって電磁石７７に吸着保持されることにより燃料ガス通路７１ａを開く。
【００２６】
また、本体７１にはスイッチ機構２０が取り付けられている。このスイッチ機構２０は、ねじ等の締結部材によって本体７１の前端面に締結され、断面略十字形状のガイド面を形成するガイド枠２１と、このガイド枠２１内に前後移動自在に嵌めこまれた作動子２２とを備えている。
【００２７】
作動子２２は、正面形状が略十字形状とされ、作動棒７４に当接する棒状基部２３から上方に突設された翼形状の点火消火ボタン作用部２４、および棒状基部２３から左右方向に突設されたマイクロスイッチ作動部２５を有している。作動子２２の前端は点火消火ボタン１４に当接する当接部２６となっている。作動子２２は、ガイド枠２１との間に介装されたスプリング２７により前方（図示左方向）に付勢されている。ガイド枠２１の左側面には、マイクロスイッチ（図示せず）が取り付けられ、マイクロスイッチ作動部２５の変位に伴い開閉する。
【００２８】
作動子２２は、点火操作時に図１に示す突出位置（消火位置）からスプリング２７の付勢力に抗して押圧すると、途中からスプリング７５の付勢力に抗して作動棒７４を後方に動かして主弁７２を開き、その後に作動棒７４が安全弁７３に当接してスプリング７６の付勢力に抗して安全弁７３を開弁保持する位置、つまり押し切り位置（点火位置）まで押し込まれる。そして、コンロバーナ３の着火がなされ、コンロバーナ３の炎孔１６に臨ませた熱電対（図示せず）の起電力により電磁石７７が通電されて安全弁７３を吸着して開弁保持される。
【００２９】
この状態で作動子２２の押圧を解放すると、図示しないハートカムによるプッシュ・プッシュ機構により中間位置（燃焼位置）に係止されて主弁７２は開弁状態を維持する。そして、消火操作時に中間位置から再度押圧するとハートカムによる中間位置の係止が解除されて作動子２２はスプリング２７の付勢力によって元の突出位置（消火位置）に戻る。このとき、作動棒７４もスプリング７５の付勢力によって基の位置に戻されて主弁７２が閉弁して燃料ガス通路７１ａを閉じる。
【００３０】
マイクロスイッチ作動部２５は、回路上スパーカー（図示せず）と電源（図示せず）との間に接続されたマイクロスイッチ（図示せず）の開閉を行う部分で、作動子２２が突出位置（消火位置）から押圧されて押し切り位置に到達すると、マイクロスイッチを閉成する。ここで、スパーカーは、火花で燃料ガスに直接点火する直接（ダイレクト）着火方式の点火源であって、炎孔１６から出た混合気に図示しない点火電極よりの火花放電によりコンロバーナ３に着火させる。
【００３１】
次に、ガス制御装置Ｓの火力調整機構５を図１ないし図６に基づいて詳細に説明する。ここで、図４および図５はガス制御装置Ｓの火力調整機構５を示した図で、図６は段差付操作窓を示した図である。
【００３２】
火力調整機構５は、本発明の火力調整手段であって、火力調整弁３０を内蔵するバルブボディ３１、このバルブボディ３１の上端にビス等の締結部材で締結される基板３２、この基板３２の幅方向の右側壁に回動自在に支持された右側戻しレバー３３、基板３２の幅方向の左側壁に回動自在に支持された左側戻しレバー３４、および火力調整弁３０の弁開度を増減することによりコンロバーナ３の火力を調整するためのレバーユニット３５等から構成されている。
【００３３】
火力調整弁３０は、回動自在の弁体よりなり、その上端部がバルブボディ３１の上部に露出している。火力調整弁３０の上端には、火力調整弁３０を回動させて弁開度を増減させるための右側ニードルピン４１および左側ニードルピン４２が取り付けられている。右側ニードルピン４１および左側ニードルピン４２は、火力調整弁３０の軸線方向に対して直交する方向に突出している。
【００３４】
バルブボディ３１は、内部に点火消火機構４側の燃料ガス通路７１ａからノズルＮまでを連通する燃料ガス通路３１ａを有している。その燃料ガス通路３１ａ内には、火力調整弁３０が摺動自在に嵌め込まれている。そして、基板３２の右側壁および左側壁には、右側ニードルピン４１および左側ニードルピン４２が嵌合する傾斜スリット４３、４４が形成されている。
【００３５】
傾斜スリット４３、４４は、右側ニードルピン４１および左側ニードルピン４２の回動量を火力調整弁３０の軸方向の移動量に変換して弁開度を増減させるカム溝として作用する。右側ニードルピン４１および左側ニードルピン４２が上端に位置するとき弁開度は最大となりコンロバーナ３の火力は強火力となる。また、右側ニードルピン４１および左側ニードルピン４２が下端に位置するとき火力調整弁の弁開度は最小となりコンロバーナ３の火力は弱火力となる。
【００３６】
右側戻しレバー３３は、バルブボディ３１の右側壁に設けられた支点（ねじ）４５を中心にして回動自在に支持され、下端にスイッチ機構２０の点火消火ボタン作用部２４の前進動作により押圧される力点面３３ａが設けられ、上端に右側ニードルピン４１を弱火力位置から強火力側に押し上げるための作用面３３ｂが設けられている。
【００３７】
左側戻しレバー３４は、バルブボディ３１の左側壁に設けられた支点（ねじ）４５を中心にして回動自在に支持され、下端にスイッチ機構２０の点火消火ボタン作用部２４の前進動作により押圧される力点面３４ａが設けられ、上端に左側ニードルピン４２を強火力位置から弱火力側に押し下げるための作用面３４ｂが設けられている。
【００３８】
レバーユニット３５は、本発明の手動操作手段であって、基板３２の上壁面に支点３６を中心にして回動自在に支持されたレバー基板６と、このレバー基板６のうち前方に立壁部を介して延長された前側延長片３７に連結された火力調整レバー７と、この火力調整レバー７の先端部に固定された火力調整摘み８（図１および図２参照）と、レバー基板６と火力調整レバー７との間に設けられたジョイントスプリング９とから構成されている。
【００３９】
レバー基板６は、支点３６付近の天井板５１から前方に延長されてその先が略直角に折り曲げられ、その先がさらに直角に折り曲げられて前方に延長された前側延長片３７を有している。この前側延長片３７の先端部には矩形窓５２が形成されている。
【００４０】
レバー基板６は、右側方（支点３６から右側戻しレバー３３方向）および左側方（支点３６から左側戻しレバー３４方向）に逆Ｌ字状の右側延長片５３および逆Ｌ字状の左側延長片５４を有している。右側延長片５３および左側延長片５４は、支点３６付近の天井板５１から側方に延長されてその先が略直角に折り曲げられた部分である。右側延長片５３および左側延長片５４の先端部（下端部）には、右側ニードルピン４１および左側ニードルピン４２に係合する切込み溝５５を有するフォーク状爪部（ニードルピン作動部）５６が形成されている。
【００４１】
火力調整レバー７は、操作パネル１１の水平方向穴１３内を左右方向に変位する先端部に火力調整摘み８を有している。火力調整レバー７の中間部分には、内部にジョイントスプリング９の一端を支持するために切り起こされた鉤状部５７とが形成されている。鉤状部５７は、矩形窓５２を挿通して上方に突き出している。そして、火力調整レバー７の中間部分の両側には、レバー基板６の前側延長片３７の先端に形成された逆Ｌ字状の嵌合爪５９が嵌め込まれる嵌合スリット６０が形成されている。これらの嵌合爪５９および嵌合スリット６０によりレバーユニット３５の節部が形成される。
【００４２】
ここで、基板３２の前側壁には、火力調整レバー７の延長片７ａを差し込んだ状態で水平方向（左右方向）に摺動させる段差付操作窓１０が形成されている。この段差付操作窓１０は、図６に示したように、強火力（コンロバーナ３の火力が４６００ｋｃａｌ／ｈ程度）位置と弱火力（コンロバーナ３の火力が４００ｋｃａｌ／ｈ程度）位置との中間の中火力（コンロバーナ３の火力が２１００ｋｃａｌ／ｈ程度）位置よりも強火力位置側の３０００ｋｃａｌ／ｈ程度に、通常火力ゾーン１０ｘと大火力ゾーン１０ｙとを区画する区画点Ｐを有している。
【００４３】
そして、この区画点Ｐには、火力調整摘み８を指先で摘んで火力調整レバー７を大火力ゾーン１０ｙから通常火力ゾーン１０ｘへ操作する際に火力調整レバー７の延長片７ａの動きを規制する第１の規制部である制止壁Ｂが設けられている。また、区画点Ｐには、火力調整レバー７を通常火力ゾーン１０ｘから大火力ゾーン１０ｙへ操作する際に火力調整レバー７の延長片７ａの動きを規制する第２の規制部である制止壁Ｃが設けられている。なお、上記制止壁Ｂと制止壁Ｃとは、火力調整レバー７の延長片７ａが上下移動できるように略延長片７ａの幅相当分の間隔が設けられている。
【００４４】
さらに、段差付操作窓１０の強火力位置には、大火力ゾーン１０ｙ内において強火力位置へ火力調整レバー７を操作する際に火力調整レバー７の延長片７ａを制止する強火力側制止壁Ａが設けられている。また、段差付操作窓１０の弱火力位置には、通常火力ゾーン１０ｘ内において弱火力位置側へ火力調整レバー７を操作する際に火力調整レバー７の延長片７ａを規制する弱火力側制止壁Ｄが設けられている。
【００４５】
ジョイントスプリング９は、レバー基板６の中間部分の支持壁６４から略水平方向に曲げて延長された軸状部５８の外周に嵌め合わされ、一端が鉤状部５７に引っ掛けられており、他端がレバー基板６の前側延長片３７（レバー基板６の支持壁６４と火力調整レバー７の立壁部６５との間）の上端面に当接している。そして、ジョイントスプリング９は、鉤状部５７を持ち上げる方向に付勢することにより、レバー基板６の前側延長片３７と火力調整レバー７とを面接触させて火力調整レバー７の延長片７ａが段差付操作窓１０内において上方に付勢されるようにしている。
【００４６】
したがって、ジョイントスプリング９は、使用者が火力調整摘み８を持ち上げて火力調整レバー７の延長片７ａが段差付操作窓１０の延長方向（左右方向）に対して直交する方向に下がる（規制解除手段）ことによって、火力調整レバー７が１０度程度傾斜した場合に、火力調整レバー７の延長片７ａが制止壁Ｃから解放されて通常火力ゾーン１０ｘ内から大火力ゾーン１０ｙ内への移動を可能にするよう付勢している。逆に、制止壁Ｂからは付勢力により通常火力ゾーン１０ｘに移動する。
【００４７】
〔第１実施例の作用〕
次に、この実施例のテーブルコンロ１の作用を図１ないし図６に基づいて簡単に説明する。
点火操作する前に、火力調整摘み８（火力調整レバー７の延長片７ａ）が通常火力ゾーン１０ｘ内の弱火力側にある場合は、図６に示すように、点火消火ボタン１４の押圧による点火押圧操作によって後退する作動子２２に設けた点火消火ボタン作用部２４が力点面３３ａを押圧させて作用面３３ｂが右側ニードルピン４１を押し上げてフォーク状爪部５６を介してレバー基板６および火力調整レバー７は強火力側に回動し、火力調整レバー７の延長片７ａが基板３２の段差付操作窓１０に設けられた制止壁Ｃに当たるまで、左方向に移動させることにより中火力位置よりも強火力位置側の区画点Ｐに位置した状態で点火が行われる。
【００４８】
逆に、火力調整摘み８（火力調整レバー７の延長片７ａ）が大火力ゾーン１０ｙにある場合は、図６に示すように、点火消火ボタン１４の押圧による点火押圧操作によって点火消火ボタン作用部２４が力点面３４ａを押圧して作用面３４ｂが左側ニードルピン４２を押し下げてフォーク状爪部５６を介してレバー基板６および火力調整レバー７は弱火力側に回動し、火力調整レバー７の延長片７ａが段差付操作窓１０に設けられた制止壁Ｂに当たるまで、右方向に移動させることにより区画点Ｐに位置した状態で点火が行われる。
【００４９】
なお、ジョイントスプリング９の付勢力により延長片７ａは、区画点Ｐ内において制止壁Ｂに当接した大火力ゾーン１０ｙ側から上方へ移動して通常火力ゾーン１０ｘ側となり、その後火力調整レバー７の操作によれば通常火力ゾーン１０ｘ内の火力調整となる。
【００５０】
したがって、点火消火ボタン１４を押すと、スイッチ機構２０の作動子２２が押し込まれることにより主弁７２および安全弁７３により燃料ガス通路７１ａが開かれ、火力調整弁３０が燃料ガス通路３１ａを区画点Ｐに対応した７０％程度開放することにより、コンロバーナ３に安定した点火を行うことが可能な燃料ガスが供給される。そして、マイクロスイッチ作動部２５がマイクロスイッチをオンして点火電極により火花放電が発生すると、燃料ガスと燃焼用空気との混合気が着火する。
【００５１】
次に、火力調整摘み８（火力調整レバー７の延長片７ａ）を大火力ゾーン１０ｙから区画点Ｐを経て通常火力ゾーン１０ｘへ移動させて火力調整弁３０の開度を絞る場合は、火力調整レバー７を水平方向の右方向に動かす。すると、図６に示すように、火力調整レバー７の延長片７ａが段差付操作窓１０に設けられた制止壁Ｂに当接する。このとき、火力調整レバー７をそのまま同一の水平方向の右方向に動かそうとしても火力調整レバー７の延長片７ａが制止壁Ｂに当たって制止されているので動かない。
【００５２】
このとき、火力調整摘み８を一旦下げて、火力調整レバー７が嵌合爪５９および嵌合スリット６０を中心にして回転させることにより火力調整レバー７の延長片７ａが制止壁Ｂから上方に動いて解放される。この後に火力調整摘み８を水平方向の右方向に動かすことにより、通常火力ゾーン１０ｘ内の任意の位置に移動させることができる。
【００５３】
次に、火力調整摘み８（火力調整レバー７の延長片７ａ）を通常火力ゾーン１０ｘから区画点Ｐを経て大火力ゾーン１０ｙへ移動させて火力調整弁３０の開度を開く場合は、火力調整レバー７を水平方向の左方向に動かす。すると、図６に示すように、火力調整レバー７の延長片７ａが段差付操作窓１０に設けられた制止壁Ｃに当接する。このとき、火力調整レバー７をそのまま同一の水平方向の左方向に動かそうとしても火力調整レバー７の延長片７ａが制止壁Ｃに当たって制止されているので動かない。
【００５４】
このとき、火力調整摘み８を一旦持ち上げて、火力調整レバー７が嵌合爪５９および嵌合スリット６０を中心にして回転させることにより火力調整レバー７の延長片７ａが制止壁Ｃから下方に動いて解放される。この後に火力調整摘み８を水平方向の左方向に動かすことにより、大火力ゾーン１０ｙ内の任意の位置に移動させることができる。
【００５５】
〔第１実施例の効果〕
以上のように、テーブルコンロ１は、火力調整弁３０の開度を絞ってコンロバーナ３の火力を弱火力側に設定するために、火力調整摘み８を摘んで火力調整レバー７を大火力ゾーン１０ｙから通常火力ゾーン１０ｘへ操作するとき、基板３２の段差付操作窓１０の制止壁Ｂに火力調整レバー７の延長片７ａが一時的に制止されるので、強火力側から急速な弱火力方向への一気操作によるコンロバーナ３の失火を防止できる。
【００５６】
また、火力調整弁３０の開度を広げてコンロバーナ３の火力を強火力側に設定するために、火力調整摘み８を摘んで火力調整レバー７を強火力側へ操作するとき、段差付操作窓１０の制止壁Ｃに火力調整レバー７の延長片７ａが一時的に制止されるので、不用意な強火力方向への操作によってコンロバーナ３に強火力の炎が急激に生起することを防止できる。
【００５７】
さらに、火力調整機構５によるコンロバーナ３の火力調整範囲を、通常火力ゾーン１０ｘと大火力ゾーン１０ｙとに区画する区画点Ｐを中火力位置よりも強火力位置側に設けることにより、従来のような中火力位置よりも弱火力位置側の制止壁を廃止している。これにより、家庭内で一般に用いられる中火力位置と弱火力位置との間の火力調整摘み８の操作による火力調整をスムーズに行うことができて使い勝手が良くなる。
【００５８】
そして、コンロバーナ３の点火操作時に、コンロバーナ３の火力が強火力付近に設定されている時には、点火操作に連動して火力調整摘み８を右方向に移動させて火力調整レバー７の延長片７ａを制止壁Ｂに当った区画点Ｐの火力を点火時の火力とすることによりコンロバーナ３に強火力の炎が急激に生起することを防止できる。また、コンロバーナ３の点火操作時に、コンロバーナ３の火力が弱火力付近に設定されている時には、点火操作に連動して火力調整摘み８を左方向に移動させて火力調整レバー７の延長片７ａを制止壁Ｃに当った区画点Ｐの火力を点火時の火力とすることにより点火がし易くなる。
【００５９】
また、コンロバーナ３の点火操作前に火力調整摘み８および火力調整レバー７がどの火力の位置にあっても、区画点Ｐ（火力調整範囲の７０％程度の位置）に確実に設定されるので、コンロバーナ３の点火操作時の火力調整摘み８および火力調整レバー７の位置がばらつかず、確実な着火と適切な炎を形成することができる。なお、点火操作によって火力調整レバー７の延長片７ａが必ずしも制止壁Ｂ、Ｃまで移動しなくても良い。すなわち、制止壁Ｂ、Ｃは点火操作時の火力調整レバー７の移動の限界値として機能すれば目的は達成し得る。
【００６０】
〔第２実施例〕
図７はこの発明の第２実施例を示したもので、図７（ａ）はガス制御装置の火力調整機構の主要部を示した図で、図７（ｂ）は火力調整機構の操作窓を示した図である。
【００６１】
この実施例では、火力調整機構５の基板の前側壁に、通常火力ゾーン９０ｘと大火力ゾーン９０ｙとを仕切る仕切り壁９１を有する操作窓９０を設けている。その仕切り部９１の片側には制止壁Ｂが形成され、他方側には制止壁Ｃが形成されている。そして、火力調整レバー７がレバー基板６に対して延長方向に変位可能とするスリット９２、このスリット９２を貫通する２個のピン９３、および元の位置に戻すスプリング９４等を設けることによって、火力調整レバー７を手前に引っ張る（規制解除手段）ことにより仕切り部９１を乗り越えることができるようにしている。
【００６２】
〔第３実施例〕
図８はこの発明の第３実施例を示したもので、ガス制御装置の火力調整機構の主要部を示した図である。
【００６３】
この実施例では、火力調整機構５の基板の前側壁に取り付けられたプレート９５に、操作窓９０を通常火力ゾーン９０ｘと大火力ゾーン９０ｙとに仕切る仕切り壁９５ａを設けている。そして、火力調整レバー９６の後端部（被制止片）９６ａが仕切り壁９５ａを乗り越えるように、プレート９５自体を図示下側（下方側）に押し下げる（規制解除手段）ために押される規制解除ボタン９７および規制解除レバー９８を設けている。なお、規制解除レバー９８の先端部（プレート９５に当接する当接部）９８ａは、図示下方より図示上方に向かって板幅が漸減するテーパー状に形成されている。
【００６４】
〔変形例〕
この実施例では、火力調整レバー７を一時的に制止させるための開口形状の段差付操作窓１０を火力調整弁３０の基板３２の前側壁に設けたが、火力調整摘み８を一時的に制止させるための開口形状の段差付操作窓を操作パネル１１に設けても良い。
【００６５】
この実施例では、レバーユニット（手動操作手段）３５をレバー基板６と火力調整レバー７と火力調整摘み８とジョイントスプリング９とから構成したが、手動操作手段を火力調整レバー７または火力調整摘み８のみで構成しても良い。
この実施例では、コンロバーナ３に本発明を用いたが、グリルＧのグリルバーナに本発明を用いても良い。
【００６６】
この実施例では、大火力ゾーン１０ｙから通常火力ゾーン１０ｘへコンロバーナ３の火力を変更する際に火力調整レバー７の動きを規制する制止壁Ｂを１個だけ設けたが、２個以上設けても良い。
同様に、通常火力ゾーン１０ｘから大火力ゾーン１０ｙへコンロバーナ３の火力を変更する際に火力調整レバー７の動きを規制する制止壁Ｃを１個だけ設けたが、２個以上設けても良い。
【図面の簡単な説明】
【図１】ガス制御装置を示した斜視図である（第１実施例）。
【図２】テーブルコンロを示した斜視図である（第１実施例）。
【図３】ガス制御装置を示した断面図である（第１実施例）。
【図４】ガス制御装置の火力調整機構を示した斜視図である（第１実施例）。
【図５】ガス制御装置の火力調整機構を示した斜視図である（第１実施例）。
【図６】火力調整機構の段差付操作窓を示した正面図である（第１実施例）。
【図７】（ａ）はガス制御装置の火力調整機構を示した斜視図で、（ｂ）は火力調整機構の操作窓を示した正面図である（第２実施例）。
【図８】ガス制御装置の火力調整機構を示した斜視図である（第３実施例）。
【図９】段差付操作窓を示した正面図である（従来例）。
【符号の説明】
Ｂ  制止壁（第１の規制部）
Ｃ  制止壁（第２の規制部）
Ｐ  区画点（区画部）
１  テーブルコンロ（ガス機器）
２  ハウジング
３  コンロバーナ
４  点火消火機構（点火消火手段）
５  火力調整機構（火力調整手段）
６  レバー基板
７  火力調整レバー
８  火力調整摘み
９  ジョイントスプリング
１０  段差付操作窓
３０  火力調整弁
３１  バルブボディ
３２  基板
３５  レバーユニット（手動操作手段）
【図１】
0003650233.tif 000002
【図２】
0003650233.tif 000003
【図３】
0003650233.tif 000004
【図４】
0003650233.tif 000005
【図５】
0003650233.tif 000006
【図６】
0003650233.tif 000007
【図７】
0003650233.tif 000008
【図８】
0003650233.tif 000009
【図９】
0003650233.tif 000010